(57)【要約】【課題】開閉装置の使用におけるユーザの利便性を向上させることが可能となる、開閉装置を提供すること。【解決手段】開閉装置１は、建物の開口部２の開閉を行う開閉体３０を収納するための収納部１０と、収納部１０に収納された開閉機５０であって、開閉体３０の巻き取り又は巻き出しを行う開閉機５０と、開閉機５０によって開閉体３０の開閉制御を行う制御ユニット７０と、を備えた開閉装置であって、収納部１０に形成された点検孔１６ａと、収納部１０に収容された遮断器６０であって、制御ユニット７０に対する電力供給を遮断するための遮断器６０と、収納部１０に収容され、且つ開閉機５０に対して直接接続された取付部８０であって、遮断器６０を当該取付部８０に取り付けることにより、遮断器６０を開閉機５０の近傍に設置するための取付部８０と、を備えた。【選択図】図２
2020002605.tif 000002
【特許請求の範囲】
【請求項１】
建物の開口部の開閉を行う開閉体を収納するための収納手段と、
前記収納手段に収納された開閉機であって、前記開閉体の巻き取り又は巻き出しを行う開閉機と、
前記開閉機によって前記開閉体の開閉制御を行う制御手段と、
を備えた開閉装置であって、
前記収納手段に形成された点検孔であって、前記開閉機の点検を行うための点検孔と、
前記収納手段に収容された遮断手段であって、前記制御手段に対する電力供給を遮断するための遮断手段と、
前記収納手段に収容され、且つ前記開閉機に対して直接接続された取付手段であって、前記遮断手段を当該取付手段に取り付けることにより、前記遮断手段を前記開閉機の近傍に設置するための取付手段と、
を備えた開閉装置。
【請求項２】
前記取付手段及び前記遮断手段を、前記開閉機を構成する開閉機本体の端部のうち前記開閉機の開放操作又は閉鎖操作を手動で行うための第１手動操作手段が取り付けられる側の取付端部の近傍に配置した、
請求項１に記載の開閉装置。
【請求項３】
前記取付手段及び前記遮断手段を、前記第１手動操作手段の操作が阻害されないように構成した、
請求項２に記載の開閉装置。
【請求項４】
前記取付手段及び前記遮断手段の少なくとも一部が前記開閉機よりも前記収納手段における前記開閉体の出し入れ側の側部である出し入れ側部側とは反対側に位置するように、前記取付手段及び前記遮断手段を構成した、
請求項３に記載の開閉装置。
【請求項５】
前記取付手段又は前記遮断手段の少なくとも一部が前記開閉機本体の取付端部よりも前記第１手動操作手段側に突出しないように、前記取付手段及び前記遮断手段を構成した、
請求項３又は４に記載の開閉装置。
【請求項６】
前記第１手動操作手段は、前記開閉機を構成する回転軸を回動操作することが可能な操作ハンドルである、
請求項２から５のいずれか一項に記載の開閉装置。
【請求項７】
前記取付手段に、前記開閉機本体の取付端部に取り付けられる第２手動操作手段であって、前記開閉機のブレーキ部の解放操作を手動で行うための第２手動操作手段を挿通させるための切欠部を設けた、
請求項２から６のいずれか一項に記載の開閉装置。
【請求項８】
前記取付手段を、前記開閉機に対して着脱自在に接続した、
請求項１から７のいずれか一項に記載の開閉装置。
【請求項９】
前記取付手段は、
前記遮断手段を収容するための収容空間と、
前記収容空間に隣接した作業空間であって、前記遮断手段の結線作業を行うための作業空間と、を備えた、
請求項１から８のいずれか一項に記載の開閉装置。
【請求項１０】
前記取付手段は、前記遮断手段の少なくとも一部を覆うように設けられたカバー手段であって、前記遮断手段に水がかかることを防止するためのカバー手段を備えた、
請求項１から９のいずれか一項に記載の開閉装置。
【発明の詳細な説明】
【技術分野】
【０００１】
本発明は、開閉装置に関する。
【背景技術】
【０００２】
従来から、建物の壁の開口部に設けられるシャッター装置であって、操作スイッチを介して所定操作が受け付けられると、開閉機の駆動によってシャッターカーテンを開閉させる電動式のシャッター装置が多く用いられている（例えば、特許文献１参照）。このようなシャッター装置は、開閉機の駆動制御を行うための制御盤と、制御盤に対する電力供給を遮断するための遮断器とを備えており、これら制御盤及び遮断器は、シャッターカーテンを収容する収納部の内部に収容される。特に、遮断器は、設置性の観点から、収納部を構成するブラケットのうち開閉機側に位置するブラケットの上方部分に設置される。
【先行技術文献】
【特許文献】
【０００３】
【特許文献１】特開２０１６−９８６２０号公報
【発明の概要】
【発明が解決しようとする課題】
【０００４】
ここで、上記従来の技術においては、上述したように、遮断器が収納部の内部において開閉機側に位置するブラケットの上方部分に設置されるので、遮断器の操作作業又は結線作業を行う際に、収納部の下方部分に形成された点検孔等の開口を介して作業を行うことが難しくなる。このため、例えば、収納部の一部（一例として、収納部を構成する正面側のプレート等）を取り外す作業等を行う必要が生じることから、これら操作作業又は結線作業を効率的に行うことが困難になる可能性があった。以上のことから、上記シャッター装置の如き開閉装置の使用におけるユーザの利便性の観点からは改善の余地があった。
【０００５】
本発明は、上記従来技術における課題を解決するためのものであって、開閉装置の使用におけるユーザの利便性を向上させることが可能となる、開閉装置を提供することを目的とする。
【課題を解決するための手段】
【０００６】
上述した課題を解決し、目的を達成するために、請求項１に記載の開閉装置は、建物の開口部の開閉を行う開閉体を収納するための収納手段と、前記収納手段に収納された開閉機であって、前記開閉体の巻き取り又は巻き出しを行う開閉機と、前記開閉機によって前記開閉体の開閉制御を行う制御手段と、を備えた開閉装置であって、前記収納手段に形成された点検孔であって、前記開閉機の点検を行うための点検孔と、前記収納手段に収容された遮断手段であって、前記制御手段に対する電力供給を遮断するための遮断手段と、前記収納手段に収容され、且つ前記開閉機に対して直接接続された取付手段であって、前記遮断手段を当該取付手段に取り付けることにより、前記遮断手段を前記開閉機の近傍に設置するための取付手段と、を備えた。
【０００７】
請求項２に記載の開閉装置は、請求項１に記載の開閉装置において、前記取付手段及び前記遮断手段を、前記開閉機を構成する開閉機本体の端部のうち前記開閉機の開放操作又は閉鎖操作を手動で行うための第１手動操作手段が取り付けられる側の取付端部の近傍に配置した。
【０００８】
請求項３に記載の開閉装置は、請求項２に記載の開閉装置において、前記取付手段及び前記遮断手段を、前記第１手動操作手段の操作が阻害されないように構成した。
【０００９】
請求項４に記載の開閉装置は、請求項３に記載の開閉装置において、前記取付手段及び前記遮断手段の少なくとも一部が前記開閉機よりも前記収納手段における前記開閉体の出し入れ側の側部である出し入れ側部側とは反対側に位置するように、前記取付手段及び前記遮断手段を構成した。
【００１０】
請求項５に記載の開閉装置は、請求項３又は４に記載の開閉装置において、前記取付手段又は前記遮断手段の少なくとも一部が前記開閉機本体の取付端部よりも前記第１手動操作手段側に突出しないように、前記取付手段及び前記遮断手段を構成した。
【００１１】
請求項６に記載の開閉装置は、請求項２から５のいずれか一項に記載の開閉装置において、前記第１手動操作手段は、前記開閉機を構成する回転軸を回動操作することが可能な操作ハンドルである。
【００１２】
請求項７に記載の開閉装置は、請求項２から６のいずれか一項に記載の開閉装置において、前記取付手段に、前記開閉機本体の取付端部に取り付けられる第２手動操作手段であって、前記開閉機のブレーキ部の解放操作を手動で行うための第２手動操作手段を挿通させるための切欠部を設けた。
【００１３】
請求項８に記載の開閉装置は、請求項１から７のいずれか一項に記載の開閉装置において、前記取付手段を、前記開閉機に対して着脱自在に接続した。
【００１４】
請求項９に記載の開閉装置は、請求項１から８のいずれか一項に記載の開閉装置において、前記取付手段は、前記遮断手段を収容するための収容空間と、前記収容空間に隣接した作業空間であって、前記遮断手段の結線作業を行うための作業空間と、を備えた。
【００１５】
請求項１０に記載の開閉装置は、請求項１から９のいずれか一項に記載の開閉装置において、前記取付手段は、前記遮断手段の少なくとも一部を覆うように設けられたカバー手段であって、前記遮断手段に水がかかることを防止するためのカバー手段を備えた。
【発明の効果】
【００１６】
請求項１に記載の開閉装置によれば、収納手段に収容され、且つ開閉機に対して直接接続された取付手段であって、遮断手段を当該取付手段に取り付けることにより、遮断手段を開閉機の近傍に設置するための取付手段を備えたので、従来技術（遮断器を収納部のブラケットの上方部分に設置する技術）に比べて、遮断手段を開閉機の近傍に設置することができ、点検孔を介して遮断手段の操作作業や結線作業等を効率的に行うことができ、開閉装置の使用におけるユーザの利便性を向上させることが可能になる。また、収納手段に収容される部品のうち開閉機以外の他の部品に取付手段を取り付ける場合に比べて、開閉機の近傍に設置しながら取付手段のコンパクト化を図りやすくなることから、取付手段の設置性を向上できる。
【００１７】
請求項２に記載の開閉装置によれば、取付手段及び遮断手段を開閉機本体の取付端部の近傍に配置したので、取付手段及び遮断手段を開閉機本体の取付端部の近傍以外の位置に配置した場合に比べて、取付手段及び遮断手段の設置スペースを比較的確保しやすいことから、取付手段及び遮断手段の設置性を向上できる。また、例えば、第１手動操作手段又は遮断手段のいずれか一方の操作作業を行った後に第１手動操作手段又は遮断手段のいずれか他方の操作作業を行うことをスムーズに行うことができ、開閉装置の使用におけるユーザの利便性を一層向上させることが可能になる。
【００１８】
請求項３に記載の開閉装置によれば、取付手段及び遮断手段を第１手動操作手段の操作が阻害されないように構成したので、取付手段又は遮断手段によって第１手動操作手段の操作が阻害されることを回避でき、第１手動操作手段の操作性を維持できる。
【００１９】
請求項４に記載の開閉装置によれば、取付手段及び遮断手段の少なくとも一部が開閉機よりも収納手段の出し入れ側部側とは反対側に位置するように、取付手段及び遮断手段を構成したので、遮断手段が開閉機よりも収納手段の出し入れ側部に位置する場合に比べて、取付手段又は遮断手段によって第１手動操作手段の操作が阻害されることを回避しながら、取付手段及び遮断手段の設置スペースを確保でき、第１手動操作手段の操作性を維持しながら、取付手段及び遮断手段の設置性を向上できる。
【００２０】
請求項５に記載の開閉装置によれば、取付手段又は遮断手段の少なくとも一部が開閉機本体の取付端部よりも第１手動操作手段側に突出しないように、取付手段及び遮断手段を構成したので、取付手段及び遮断手段が開閉機本体の取付端部よりも第１手動操作手段側に突出させる場合に比べて、取付手段又は遮断手段によって第１手動操作手段の操作が阻害されることを回避でき、第１手動操作手段の操作性を一層維持できる。
【００２１】
請求項６に記載の開閉装置によれば、第１手動操作手段が、開閉機を構成する回転軸を回動操作することが可能な操作ハンドルであるので、取付手段又は遮断手段によって操作ハンドルの回動操作が阻害されることを回避でき、操作ハンドルの操作性を維持できる。
【００２２】
請求項７に記載の開閉装置によれば、取付手段に切欠部を設けたので、切欠部を介して第２手動操作手段を挿通させることで第２手動操作手段を取付手段よりも外側に露出させることができる。よって、取付手段を取り外すことなく第２手動操作手段の操作を行うことができ、第２手動操作手段の操作性を維持できる。
【００２３】
請求項８に記載の開閉装置によれば、取付手段を開閉機に対して着脱自在に接続したので、取付手段を開閉機に対して容易に着脱できる。よって、例えば取付手段を開閉機から取り外した後に遮断手段の操作作業又は結線作業等を行うことができ、これら操作作業又は結線作業等を正確に行うことができる。
【００２４】
請求項９に記載の開閉装置によれば、取付手段が、収容空間と、収容空間に隣接した作業空間とを備えたので、取付手段に遮断手段を収容した状態で遮断手段の結線作業を行うことができ、当該結線作業を効率的に行うことができる。
【００２５】
請求項１０に記載の開閉装置によれば、取付手段が、遮断手段の少なくとも一部を覆うように設けられたカバー手段を備えたので、遮断手段に水がかかることを防止することができ、遮断手段による漏電の発生を回避できる。
【図面の簡単な説明】
【００２６】
【図１】本発明の実施の形態に係る開閉装置の正面図である（一部図示省略）。
【図２】図１のＡ−Ａ矢視断面図である（一部図示省略）。
【図３】図１のＢ−Ｂ矢視断面図である（一部図示省略）。
【図４】開閉機、制御ユニット、及び取付部を取り付けた状態を示す図であり、（ａ）は正面図、（ｂ）は左側面図である。
【図５】取付部を示す図であり、（ａ）は左側面図、（ｂ）は正面図である。
【図６】開閉機の変形例を示す図であって、図２に対応する領域を示す図である。
【図７】開閉機の変形例を示す図であって、図４に対応する領域を示す図であり、（ａ）は正面図、（ｂ）は左側面図である。
【図８】取付部の変形例を示す図であり、（ａ）は左側面図、（ｂ）は正面図である。
【発明を実施するための形態】
【００２７】
以下に添付図面を参照して、この発明に係る開閉装置の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００２８】
〔Ｉ〕実施の形態の基本的概念
まず、実施の形態の基本的概念について説明する。実施の形態は、概略的に、建物の開口部の開閉を行う開閉体を収納するための収納手段と、収納手段に収納された開閉機であって、開閉体の巻き取り又は巻き出しを行う開閉機と、開閉機によって開閉体の開閉制御を行う制御手段と、を備えた開閉装置に関するものである。
【００２９】
ここで、「建物」とは、その具体的な構造や種類は任意であるが、例えば、戸建て住宅、アパートやマンションの如き集合住宅、オフィスビル、商業施設、及び公共施設等を含む概念である。また、「建物の開口部」とは、建物の躯体の一部分（例えば、壁、床、天井等）において出入口や窓を設置するために形成された開口部である。また、「開閉装置」とは、防犯や防火のために、建物の開口部に取り付けられる装置であり、例えば、軽量シャッター等を電動駆動可能な全ての形式のシャッター装置を含む概念である。また、開閉装置の開閉方向については、例えば上下方向、左右方向、前後方向等が該当する。また「開閉体の状態」とは、例えば、開閉体によって開口部を全閉した「全閉状態」と、開閉体によって開口部を全開した「全開状態」と、開口部の一部を開いて当該開口部の他の一部を閉じている「半開状態」とを含む概念である。以下、実施の形態では、開閉装置が、戸建て住宅の如き建物のガレージの入出口に設けられた上下開閉式の軽量電動シャッターである場合について説明する。
【００３０】
〔ＩＩ〕実施の形態の具体的内容
次に、実施の形態の具体的内容について説明する。
【００３１】
（構成）
最初に、実施の形態に係る開閉装置の構成について説明する。以下の説明では、図１のＸ方向を開閉装置の左右方向（−Ｘ方向を開閉装置の左方向、＋Ｘ方向を開閉装置の右方向）、図２のＹ方向を開閉装置の前後方向（＋Ｙ方向を開閉装置の前方向（建物の屋外側の方向）、−Ｙ方向を開閉装置の後方向（建物の屋内側の方向））、図１のＺ方向を開閉装置の上下方向（＋Ｚ方向を開閉装置の上方向、−Ｚ方向を開閉装置の下方向）と称する。
【００３２】
開閉装置１は、図１、図２に示すように、概略的に、収納部１０、ガイドレール２０、開閉体３０、巻取軸４０、駆動側軸受部４１、従動側軸受部（図示省略）、開閉機５０、操作部（図示省略）、遮断器６０、及び制御ユニット７０を備えて構成されている。ただし、開閉装置１に関する特記しない構成については、従来と同様であるものとして説明を省略する。なお、開閉装置１を構成する各種部材同士の取付方法（又は接続方法）については任意であるが、例えば、取付側の部材又は取付相手側の部材に形成された取付孔（例えば、リベット孔、ネジ孔、ビス孔等）を介して、取付側の部材を取付相手側の部材に対して固定具（例えば、リベット、取付ネジ、ビス等）、溶接、接着剤、両面テープ等によって取り付ける（又は接続する）方法が採用されている。
【００３３】
また、この開閉装置１を構成する各装置の接続形態については、具体的には、制御ユニット７０は、開閉機５０、操作部、及び遮断器６０の各々と図示しない配線を介して電気的に接続されている。これにより、制御ユニット７０と、開閉機５０、操作部、又は遮断器６０との相互間で通信又は電力供給を直接的又は間接的に行うことができる。
【００３４】
（構成−収納部）
図１に戻り、収納部１０は、開閉装置１の各部を収納するための中空体である。この収納部１０は、鋼製の中空体であり、図１、図２に示すように、建物の壁における開口部２の上端部よりも上方に設置されている。また、この収納部１０の内部には、巻取軸４０、開閉機５０、遮断器６０、及び制御ユニット７０が収容されていると共に、巻取軸４０にて開閉体３０が巻上げられた状態では、開閉体３０の少なくとも一部も、収納部１０の内部に収容される。
【００３５】
また、図２に示すように、後述する収納部１０の下側ケース板１６には、開閉体３０を中心とする建物の屋外側と建物の屋内側にそれぞれまぐさ（図示省略）が固定されている。そして、これらまぐさの相互間には、まぐさ開口１０ａが、開口部２の左右方向全長にわたって形成されていることで、このまぐさ開口１０ａを介して開閉体３０の出し入れが行われる。なお、収納部１０の構成の詳細については後述する。
【００３６】
（構成−ガイドレール）
図１に戻り、ガイドレール２０は、開閉体３０を開口部２の開閉方向（上下方向）に沿って移動するように案内するものである。このガイドレール２０は、例えば横断面形状が略コ字状となるように形成された長尺体であり、図１に示すように、開閉装置１の左右の各端部において、上下方向に略沿う方向で配置されており、建物の壁に対して直接的に固定されており、又は下地材（図示省略）を介して間接的に固定されている。
【００３７】
（構成−開閉体）
開閉体３０は、開口部２の開閉を行うものであり、具体的には、巻取軸４０の回転駆動によって閉鎖移動又は開放移動されることで、開閉体３０の状態を全開状態、全閉状態、あるいは、半開状態にすることができる。この開閉体３０は、例えば公知のシャッターカーテンを用いて構成されている。具体的には、図１、図２に示すように、複数のスラット３１を備えて構成されており、各スラット３１の上下の両端部に形成された嵌合部３２を介して複数のスラット３１が相互に嵌合接続されている。また、この開閉体３０の左右方向の両端部の各々は、ガイドレール２０のコ字状の開放端部を介してガイドレール２０の内部に挿入されており、上下方向においてはガイドレール２０の内部をスライド移動可能であり、かつ、前後方向においてはガイドレール２０の外部に脱落しないように規制されている。また、この開閉体３０の下端部には、座板３３が接続されている。この座板３３は、全閉状態において建物の床面と近接し、又は接触するように配置されたものであり、開閉体３０の下端部の左右方向全長にわたって形成されている。
【００３８】
（構成−巻取軸）
図１に戻り、巻取軸４０は、開閉体３０を開閉移動させるためのものである（なお、図２では、巻取軸４０の最大巻き径Ｍを図示している）。この巻取軸４０は、例えば公知の巻取軸等を用いて構成されており、左右方向に沿って設置されている。また、この巻取軸４０にはシャッターカーテンの上端に連結された連結スラット（図示省略）が接続されており、この巻取軸４０を回転させることで、連結スラットを介して開閉体３０を開閉移動させることができる。
【００３９】
また、図１に示すように、この巻取軸４０には、駆動側フランジ部（図示省略）、及び従動側シャフト部４０ａが設けられている。このうち、駆動側フランジ部は、巻取軸４０と駆動側軸受部４１とを接続するための接続手段であり、略円柱状体にて形成されており、当該駆動側フランジ部の軸方向が左右方向に沿うように配置され、駆動側軸受部４１（具体的には、後述する駆動側軸受部本体）に対して固定具等によって接続されている。従動側シャフト部４０ａは、巻取軸４０と従動側軸受部とを接続するための接続手段であり、長尺な棒状体にて形成されており、従動側シャフト部４０ａの軸方向が左右方向に沿うように配置され、従動側軸受部に対して回転可能に挿入されている。
【００４０】
（構成−駆動側軸受部）
駆動側軸受部４１は、巻取軸４０を回転可能に支持するための軸受部であり、図２に示すように、駆動側軸受部本体（図示省略）及び巻取軸側スプロケット４２を備えている。
【００４１】
このうち、駆動側軸受部本体は、駆動側軸受部４１の基本構造体であり、例えば公知の駆動軸等を用いて構成されており、駆動側フランジ部に対して固定具等によって接続されていると共に、後述する駆動側軸受板１１に対して嵌合構造等によって回転可能に固定されている。また、巻取軸側スプロケット４２は、開閉機５０からの回転駆動力を伝達部材４３（例えば、環状のローラチェーン等）を介して駆動側軸受部本体に伝達するためのものである。この巻取軸側スプロケット４２は、例えば公知のスプロケット等を用いて構成されており、図２に示すように、駆動側軸受部本体における巻取軸４０側の端部とは反対側の端部（具体的には、駆動側軸受部本体の右端部）又はその近傍に設けられており、駆動側軸受部本体に対して固定具等によって固定されている。
【００４２】
（構成−従動側軸受部）
従動側軸受部は、巻取軸４０を回転可能に支持するためのものである。この従動側軸受部は、例えば従動側シャフト部４０ａを回転可能に接続可能な公知のベアリング部材等を用いて構成され、後述する従動側軸受板１３の巻取軸４０側の側面（具体的には、後述する従動側軸受板１３の右側面）に設けられている。具体的には、従動側シャフト部４０ａを挿入した状態で配置され、後述する従動側軸受板１３に対して固定具等によって固定されている。
【００４３】
（構成−開閉機）
開閉機５０は、開閉体３０の巻き取り又は巻き出しを行うためのものであり、具体的には、巻取軸４０を回転駆動することによって電動で開閉体３０を閉鎖移動又は開放移動させる。この開閉機５０は、例えば公知のシャッター用の開閉機等を用いて構成され、図１から図３に示すように、収納部１０の内部において、巻取軸４０よりも下側前方であり、且つ駆動側軸受部４１の近傍に設けられている。より具体的には、後述する収納部１０の下側ケース板１６の近傍位置において、収納部１０に収容された開閉体３０と接触しないように前方側に傾斜して設けられている。
【００４４】
また、この開閉機５０は、図４に示すように、入力軸５１、出力軸５２、開閉機側スプロケット５３、開閉機本体５４、第１手動操作部５５、及び第２手動操作部５６を備えている。
【００４５】
このうち、入力軸５１は、連結軸（図示省略）を介して回転駆動力を出力軸５２に伝達するための回転軸である。この入力軸５１は、図４に示すように、当該入力軸５１の一部が開閉機本体５４の左端部から外部に向けて突出するように配置されており、開閉機本体５４に対して固定具によって回転可能に固定されている。また、出力軸５２は、入力軸５１から連結軸を介して伝達された回転駆動力を巻取軸４０に伝達するためのものである。この出力軸５２は、図４に示すように、当該出力軸５２の一部が開閉機本体５４の右端部から外部に向けて突出するように配置されており、開閉機本体５４に対して固定具によって回転可能に固定されている。開閉機側スプロケット５３は、出力軸５２から伝達された回転駆動力を伝達部材４３を介して巻取軸側スプロケット４２に伝達するためのものであり、図４に示すように、出力軸５２の右端部に固定されている。
【００４６】
また、開閉機本体５４は、開閉機５０の基本構造体であり、図示しない接続部材を介して駆動側軸受部４１に対して固定具等によって固定されており、減速部、調速部、ブレーキ部、及び駆動部を備えている（いずれも図示省略）。このうち、減速部は、連結軸を介して出力軸５２の回転速度を減速させるためのものであり、例えば公知の減速機等を用いて構成されている。また、調速部は、連結軸を介して出力軸５２の回転速度を調整するためのものであり、例えば公知の調速機等を用いて構成されている。また、ブレーキ部は、開閉体３０の自重降下を停止するためのものであり、例えば、公知のブレーキ部材等を用いて構成されている。また、駆動部は、出力軸５２を電動で回転させるための駆動手段である。
【００４７】
また、第１手動操作部５５は、開閉機５０の開放操作又は閉鎖操作を手動で行うための第１手動操作手段である。この第１手動操作部５５は、入力軸５１を回動操作することが可能な操作ハンドルとして構成されている。具体的には、図４に示すように、第１手動操作部５５を把持する把持部５５ａと、把持部５５ａよりも開閉機本体５４側に位置し、且つ把持部５５ａに接続されている操作側接続部５５ｂであって入力軸５１（具体的には、入力軸５１における開閉機本体５４の左端部から外側に突出している部分）に対して着脱自在に取り付け可能な操作側接続部５５ｂとを備えている。このような第１手動操作部５５により、第１手動操作部５５を入力軸５１を回転中心として回動させることで、開閉機５０の開放操作又は閉鎖操作を行うことができる。なお、実施の形態では、上述したように、開閉機本体５４の左端部側に第１手動操作部５５が取り付けられるので、以下では、この開閉機本体５４の左端部を「開閉機本体５４の取付端部５４ａ」と称して説明する。
【００４８】
また、第２手動操作部５６は、ブレーキ部の解放操作を手動で行うための第２手動操作手段である。この第２手動操作部５６は、例えばワイヤ式の操作手段を用いて構成されており、図４に示すように、第２手動操作部５６の一部が開閉機本体５４の取付端部５４ａから外部に露出するように設けられていると共に、第２手動操作部５６の他の一部がブレーキ部に接続されている。このような第２手動操作部５６により、第２手動操作部５６を引張ることで、ブレーキ部の解放操作を行うことができる。
【００４９】
（構成−操作部）
操作部は、開閉体３０の閉鎖移動又は開放移動に関する操作入力を受け付ける操作手段であり、例えば、公知のシャッター装置用の操作手段（一例として、押しボタン式スイッチ等）を用いて構成されており、収納部１０の外部において開口部２の近傍位置に設けられている。なお、実施の形態では、操作部は、制御ユニット７０と有線で通信するものとして説明するが、これに限らず、例えば、制御ユニット７０と無線で通信するものであってもよい。また、これら有線式及び無線式の操作部の両方を設置してもよい。
【００５０】
（構成−遮断器）
遮断器６０は、制御ユニット７０に対する電力供給を遮断するための遮断手段であり、例えば公知のシャッター装置用の遮断器等を用いて構成されている。
【００５１】
（構成−制御ユニット）
図１に戻り、制御ユニット７０は、開閉装置１の各部を相互に連動させるものであって、開閉機５０によって開閉体３０の開閉制御を行う制御手段である。この制御ユニット７０は、例えば公知のシャッター装置用の制御盤（一例として、長尺な直方体状の制御盤等）を用いて構成されており、図１、図２、図４に示すように、開閉機５０よりも下方に配置されており、開閉機５０に対して固定具等によって固定されている。
【００５２】
また、この制御ユニット７０は、通信部、電源部、制御部、及び記憶部を備えている（いずれも図示省略）。このうち、通信部は、操作部又は外部装置との間で通信するための通信手段である。電源部は、図示しない商用電源又は電池（例えば、バッテリ等）から供給された電力を、制御ユニット７０の各部に供給すると共に、開閉機５０にも供給する電源手段である。制御部は、制御ユニット７０の各部を制御する制御手段である。この制御部は、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）及びプログラムや各種のデータを格納するためのＲＡＭの如き内部メモリを備えて構成されるコンピュータである。記憶部は、制御ユニット７０の動作に必要なプログラム及び各種のデータを記憶する記憶手段であり、書き換え可能な記録媒体を用いて構成され、例えばフラッシュメモリ等の不揮発性記録媒体を用いることができる。
【００５３】
また、この制御ユニット７０の具体的な構成については任意であるが、実施の形態では、図４に示すように、制御ユニット７０の左右方向の長さが開閉機本体５４の左右方向の長さと略同一に設定され、制御ユニット７０の前後方向の長さが開閉機本体５４の前後方向の長さと略同一に設定され、制御ユニット７０の上下方向の長さが開閉機本体５４の上下方向の長さよりも短く設定されている。
【００５４】
（構成−収納部の構成の詳細）
図１に戻り、次に、収納部１０の構成の詳細について説明する。この収納部１０は、図１から図３に示すように、駆動側軸受板１１、駆動側取付片１２、従動側軸受板１３、従動側取付片（図示省略）、上側ケース板１４、前側ケース板１５、及び下側ケース板１６を備えている。なお、この収納部１０は、特記する場合を除いて、任意の形状、方法、及び材質で製造することができる。
【００５５】
（構成−収納部の構成の詳細−駆動側軸受板、駆動側取付片）
駆動側軸受板１１は、収納部１０の収容空間の右端部を覆うための板材であり、図１から図３に示すように、上記収容空間の右端部を覆うように略垂直に設けられ、駆動側取付片１２に対して固定具等によって接続されている。駆動側取付片１２は、図示しない支持対象（具体的には、収納部１０を支持可能な建物の柱や壁等）に対して駆動側軸受板１１を取り付けるための板材であり、図２に示すように、駆動側軸受板１１よりも後方において支持対象と対向するように設けられており、支持対象に対して固定具等によって接続されている。なお、これら駆動側軸受板１１及び駆動側取付片１２の形成方法については任意であるが、例えば、駆動側軸受板１１及び駆動側取付片１２が一体に形成されてもよい。あるいは、駆動側軸受板１１及び駆動側取付片１２が別体に形成した後に固定具等によって相互に接続してもよい（なお、従動側軸受板及び従動側取付片の形成方法についても同様とする）。
【００５６】
（構成−収納部の構成の詳細−従動側軸受板、従動側取付片）
従動側軸受板１３は、上記収容空間の左端部を覆うための板材であり、図１、図３に示すように、上記収容空間の左端部を覆うように略垂直に設けられ、従動側取付片に対して固定具等によって接続されている。従動側取付片は、支持対象に対して従動側軸受板１３を取り付けるための板材であり、従動側軸受板１３よりも後方において支持対象と対向するように設けられており、支持対象に対して固定具等によって接続されている。
【００５７】
（構成−収納部の構成の詳細−上側ケース板、前側ケース板、下側ケース板）
上側ケース板１４は、上記収容空間の上端部を覆うための板材であり、図１、図２に示すように、上記収容空間の上端部を覆うように非水平（又は略水平）に設けられ、駆動側軸受板１１及び従動側軸受板１３に対して固定具等によって接続されている。前側ケース板１５は、上記収容空間のうち前端部を覆うための板材であり、図１、図２に示すように、上記収容空間の前端部を覆うように略垂直に設けられ、駆動側軸受板１１及び従動側軸受板１３に対して固定具等によって接続されている。下側ケース板１６は、上記収容空間の下端部を覆うための板材であり、図１から図３に示すように、上記収容空間の下端部を覆うように略水平に設けられ、駆動側軸受板１１及び従動側軸受板１３に対して固定具等によって接続されている。
【００５８】
また、図２、図３に示すように、下側ケース板１６には、点検孔１６ａが形成されている。点検孔１６ａは、開閉機５０を点検するための貫通孔であり、図２、図３に示すように、下側ケース板１６の部分のうち開閉機５０と対応する部分に配置されている。この点検孔１６ａの具体的な形状及び大きさについては任意であるが、実施の形態では、ユーザが点検孔１６ａを介して収納部１０の内部に手を入れることで開閉機５０の第１手動操作部５５を操作することが可能となるように設定している。具体的には、図３に示すように、点検孔１６ａの形状については、長方形状に設定している。また、点検孔１６ａの左右方向の長さについては、開閉機５０の左右方向の長さよりも短く（あるいは、同一又はそれ以上）に設定しており、点検孔１６ａの前後方向の長さについては、開閉機５０の前後方向の長さよりも長く（又は同一）に設定している。
【００５９】
（構成−遮断器の設置構造）
図１に戻り、次に、遮断器６０の設置構造について説明する。この開閉装置１は、収納部１０の内部において遮断器６０を開閉機５０の近傍に設置するための設置構造を備えており、この設置構造の特徴については、実施の形態では、以下に示す通りとなる。
【００６０】
（構成−遮断器の設置構造−第１の特徴）
まず、遮断器６０の設置構造の第１の特徴については、収納部１０の内部において取付部８０が設けられている。取付部８０は、遮断器６０を当該取付部８０に取り付けることにより、遮断器６０を開閉機５０の近傍に設置するための取付手段であり、開閉機５０の近傍に配置されており、具体的には、図１から図４に示すように、開閉機本体５４の取付端部５４ａの近傍に配置されている。また、この取付部８０は、図４、図５に示すように、取付部本体８１、第１取付側接続部８２、及び第２取付側接続部８３を備えている。
【００６１】
（構成−遮断器の設置構造−第１の特徴−取付部本体）
取付部本体８１は、取付部８０の基本構造体である。この取付部本体８１は、略平坦な長方形状の板状体にて形成されており、図４、図５に示すように、開閉機本体５４の取付端部５４ａの近傍において略垂直に設けられ、具体的には、取付部本体８１の長手方向が開閉機本体５４の高さ方向に略沿うように設けれている（すなわち、図４に示すように、遮断器６０は、開閉機本体５４の取付端部５４ａの近傍に配置されることになる）。また、図５に示すように、取付部本体８１には、遮断器６０を取付部８０に対して取り付けるための図４（ｂ）の第１固定具Ｆ１（例えば、ビス等）を接続するためのビス孔８１ａが設けられており、このビス孔８１ａは、遮断器６０（具体的には、遮断器６０の側面のうち、操作面側とは反対側の側面）と対向する位置に複数配置されている。これにより、遮断器６０の操作面が外部に露出するように遮断器６０を設置でき、遮断器６０の操作性を確保できる。
【００６２】
（構成−遮断器の設置構造−第１の特徴−第１取付側接続部）
また、第１取付側接続部８２は、取付部本体８１を開閉機５０（具体的には、開閉機本体５４）に接続するためのものである。この第１取付側接続部８２は、略平坦な矩形状の板状体にて形成されており、図４、図５に示すように、取付部本体８１よりも左側の位置であり、且つ第１取付側接続部８２の少なくとも一部（図４では、第１取付側接続部８２の下方部分）が開閉機本体５４の取付端部５４ａと当接可能な位置において、略垂直に設けられている。
【００６３】
（構成−遮断器の設置構造−第１の特徴−第２取付側接続部）
第２取付側接続部８３は、取付部本体８１と第１取付側接続部８２とを接続するためのものである。この第２取付側接続部８３は、略平坦な矩形状の板状体にて形成されており、図４、図５に示すように、取付部本体８１と第１取付側接続部８２との相互間において略水平に設けられており、取付部本体８１と第１取付側接続部８２とに接続されている。
【００６４】
このような第１の特徴により、従来技術（遮断器を収納部のブラケットの上方部分に設置する技術）に比べて、遮断器６０を開閉機５０の近傍に設置することができ、点検孔１６ａを介して遮断器６０の操作作業や結線作業等を効率的に行うことができ、開閉装置１の使用におけるユーザの利便性を向上させることが可能になる。また、収納部１０に収容される部品のうち開閉機５０以外の他の部品に取付部８０を取り付ける場合に比べて、開閉機５０の近傍に設置しながら取付部８０のコンパクト化を図りやすくなることから、取付部８０の設置性を向上できる。さらに、取付部８０及び遮断器６０を開閉機本体５４の取付端部５４ａの近傍に配置したので、取付部８０及び遮断器６０を開閉機本体５４の取付端部５４ａの近傍以外の位置に配置した場合に比べて、取付部８０及び遮断器６０の設置スペースを比較的確保しやすいことから、取付部８０及び遮断器６０の設置性を向上できる。また、例えば、第１手動操作部５５又は遮断器６０のいずれか一方の操作作業を行った後に第１手動操作部５５又は遮断器６０のいずれか他方の操作作業を行うことをスムーズに行うことができ、開閉装置１の使用におけるユーザの利便性を一層向上させることが可能になる。
【００６５】
（構成−遮断器の設置構造−第２の特徴）
図１に戻り、次に、遮断器６０の設置構造の第２の特徴については、取付部８０及び遮断器６０は、開閉機５０の第１手動操作部５５の操作が阻害されないように構成されている。
【００６６】
具体的には、まず、図１、図２に示すように、取付部８０及び遮断器６０の少なくとも一部が開閉機５０よりも収納部１０における開閉体３０の出し入れ側の側部である出し入れ側部側（すなわち、下側ケース板１６側）とは反対側に位置するように、取付部８０及び遮断器６０は構成されている。より具体的には、図４に示すように、取付部８０の取付部本体８１及び遮断器６０が開閉機５０よりも上方側であり、且つ第１手動操作部５５（具体的には、操作側接続部５５ｂ）の回動操作の軌跡Ｌ（図４の想像線で示す部分）よりも上方側に位置するように、取付部８０及び遮断器６０は配置されている。このような構成により、遮断器６０が開閉機５０よりも収納部１０の出し入れ側部に位置する場合に比べて、取付部８０又は遮断器６０によって第１手動操作部５５の操作が阻害されることを回避しながら、取付部８０及び遮断器６０の設置スペースを確保でき、第１手動操作部５５の操作性を維持しながら、取付部８０及び遮断器６０の設置性を向上できる。
【００６７】
また、図４（ａ）に示すように、取付部８０又は遮断器６０の少なくとも一部が開閉機本体５４の取付端部５４ａよりも第１手動操作部５５側に突出しないように、取付部８０及び遮断器６０は構成されている。より具体的には、取付部本体８１と遮断器６０の下方部分とが開閉機本体５４の取付端部５４ａよりも第１手動操作部５５側とは反対側（図４（ａ）では、右側）に位置するように、取付部８０及び遮断器６０は配置されている。ただし、これに限らず、例えば、取付部８０全体又は遮断器６０全体が開閉機本体５４の取付端部５４ａよりも第１手動操作部５５側に突出しないように配置されてもよい。特に、遮断器６０全体が開閉機本体５４の取付端部５４ａよりも第１手動操作部５５側に突出しないように配置することで、第１手動操作部５５の操作時に遮断器６０が誤操作されることを回避できる。あるいは、取付部８０全体及び遮断器６０全体が開閉機本体５４の取付端部５４ａよりも第１手動操作部５５側に突出しないように配置されてもよい。この場合には、取付部８０及び遮断器６０によって第１手動操作部５５の操作が阻害されることがなくなることから、例えば、取付部８０の取付部本体８１及び遮断器６０が開閉機５０よりも上方側に位置するように、取付部８０及び遮断器６０を配置させずに、開閉機５０と同じ高さに配置してもよい。このような構成により、取付部８０及び遮断器６０が開閉機本体５４の取付端部５４ａよりも第１手動操作部５５側に突出させる場合に比べて、取付部８０又は遮断器６０によって第１手動操作部５５の操作が阻害されることを回避でき、第１手動操作部５５の操作性を一層維持できる。
【００６８】
このような第２の特徴により、取付部８０又は遮断器６０によって第１手動操作部５５の操作が阻害されることを回避でき、第１手動操作部５５の操作性を維持できる。特に、第１手動操作部５５が、開閉機５０を構成する入力軸５１を回動操作することが可能な操作ハンドルである場合でも、取付部８０又は遮断器６０によって操作ハンドルの回動操作が阻害されることを回避でき、操作ハンドルの操作性を維持できる。
【００６９】
（構成−遮断器の設置構造−第３の特徴）
次に、遮断器６０の設置構造の第３の特徴については、取付部８０の構成の詳細について下記に示す工夫が施されている。
【００７０】
すなわち、まず、取付部８０は、開閉機５０に対して着脱自在に接続されている。具体的には、図５（ａ）に示すように、第１取付側接続部８２には、取付部８０を開閉機５０に対して取り付けるための図４（ｂ）の第２固定具Ｆ２（例えば、ビス等）を挿通するための挿通孔８２ａ（貫通孔）が複数設けられている。そして、第２固定具Ｆ２を挿通孔８２ａを介して開閉機５０に形成されたビス孔（図示省略）に取り付けることにより、取付部８０が開閉機５０に対して接続されている。このような構成により、第２固定具Ｆ２の取付の有無によって取付部８０を開閉機５０に対して容易に着脱できる。よって、例えば取付部８０を開閉機５０から取り外した後に遮断器６０の操作作業又は結線作業等を行うことができ、これら操作作業又は結線作業等を正確に行うことができる。なお、上記開閉機５０のビス孔は、例えば、既設のビス孔であってもよく、あるいは、新設されたビス孔であってもよい。
【００７１】
また、図４、図５に示すように、取付部８０には、切欠部８４、カバー部８５、収容空間８６、第１作業空間８７、及び第２作業空間８８がさらに設けられている。
【００７２】
このうち、切欠部８４は、第２手動操作部５６を挿通させるためのものである。この切欠部８４は、取付部８０の一部を切り欠くことにより形成されており、具体的には、図４（ｂ）、図５（ａ）に示すように、第１取付側接続部８２及び第２取付側接続部８３の各々のうち第２手動操作部５６に対応する部分（図５（ａ）では、第１取付側接続部８２及び第２取付側接続部８３の各々の左右方向の中央部及びその近傍）を切り欠くことにより形成されている。ただし、これに限らず、例えば、第１取付側接続部８２の一部のみ又は第２取付側接続部８３の一部のみを切り欠くことにより形成されてもよく、あるいは、取付部本体８１の一部のみを切り欠くことにより形成されてもよい。このような切欠部８４により、切欠部８４を介して第２手動操作部５６を挿通させることで第２手動操作部５６を取付部８０よりも外側（図４（ａ）では、左側）に露出させることができる。よって、取付部８０を取り外すことなく第２手動操作部５６の操作を行うことができ、第２手動操作部５６の操作性を維持できる。
【００７３】
また、カバー部８５は、遮断器６０に水がかかることを防止するためのカバー手段である。ここで、「遮断器６０に水がかかる」とは、例えば、開閉体３０の巻き上げ時に開閉体３０に付着した水滴が飛散することで当該水滴が遮断器６０にかかること、収納部１０の上方部分に付着した水滴が落下することで当該水滴が遮断器６０にかかること等を含む概念である。このカバー部８５は、略平坦な矩形状の板状体にて形成されており、遮断器６０の少なくとも一部を覆うように設けられており、具体的には、図４、図５に示すように、取付部本体８１よりも上方において、遮断器６０の上面の略全体を覆うように配置されており、取付部本体８１の上端部に対して接続されている。このようなカバー部８５により、遮断器６０に水がかかることを防止することができ、遮断器６０による漏電の発生を回避できる。
【００７４】
収容空間８６は、遮断器６０を収容するための空間である（図４では、縦置きに収容する空間である）。この収容空間８６は、図４（ｂ）、図５に示すように、取付部本体８１、第２取付側接続部８３、及びカバー部８５によって囲繞される空間の一部から形成されており、具体的には、上記囲繞される空間のうち、取付部本体８１の複数のビス孔８１ａの対応する空間から形成されている。このような収容空間８６により、遮断器６０を収容するスペースを確保しやすくなる。
【００７５】
第１作業空間８７は、遮断器６０の結線作業（具体的には、遮断器６０と商用電源との結線作業）を行うための空間であり、第２作業空間８８は、遮断器６０の結線作業（具体的には、遮断器６０と制御ユニット７０との結線作業）を行うための空間である。これら第１作業空間８７及び第２作業空間８８は、上記囲繞される空間の他の一部から形成されている。具体的には、図４、図５に示すように、第１作業空間８７は、上記囲繞される空間のうち収容空間８６に隣接する空間であって収容空間８６よりも上方に位置する空間から形成されている。また、第２作業空間８８は、上記囲繞される空間のうち収容空間８６に隣接する空間であって収容空間８６よりも下方に位置する空間から形成されている。このような第１作業空間８７及び第２作業空間８８により、取付部８０に遮断器６０を収容した状態で遮断器６０の結線作業を行うことができ、当該結線作業を効率的に行うことができる。
【００７６】
このような第３の特徴により、取付部８０の使用性を向上させることができ、開閉装置１の使用におけるユーザの利便性をさらに一層向上させることが可能になる。
【００７７】
なお、取付部８０の形成方法については任意であるが、実施の形態では、スチール製の板状体を折り曲げ成形することで、取付部本体８１、第１取付側接続部８２、第２取付側接続部８３、及びカバー部８５を一体に成形することにより、形成している。ただし、これに限らず、例えば、取付部本体８１、第１取付側接続部８２、第２取付側接続部８３、及びカバー部８５をそれぞれ別体で形成した後に、溶接等によって第２取付側接続部８３を介して取付部本体８１と第１取付側接続部８２とを接続すると共に、カバー部８５と取付部本体８１とを接続することにより、形成してもよい。
【００７８】
（開閉装置の作用について）
続いて、このように構成された開閉装置１の作用について説明する。
【００７９】
すなわち、例えば、遮断器６０の操作作業を行う場合には、上述したように、取付部８０によって遮断器６０が開閉機５０の近傍に設置されているので、ユーザが点検孔１６ａを介して収納部１０の内部に手を入れて遮断器６０を操作することにより、当該操作作業を行うことができる。また、この操作作業を正確に行う場合には、ユーザが点検孔１６ａを介して収納部１０の内部に手を入れて、取付部８０を開閉機５０から取り外してから遮断器６０及び取付部８０を収納部１０の外部に取り出した後に遮断器６０を操作することにより、当該操作作業を行ってもよい。
【００８０】
また、遮断器６０の結線作業を行う場合には、上述したように、取付部８０によって遮断器６０が開閉機５０の近傍に設置されていると共に、取付部８０に第１作業空間８７及び第２作業空間８８が設けられているので、ユーザが点検孔１６ａを介して収納部１０の内部に手を入れて制御ユニット７０又は商用電源に接続された配線（図示省略）を遮断器６０に接続することにより、当該結線作業を行うことができる。また、この結線作業を正確に行う場合には、ユーザが点検孔１６ａを介して収納部１０の内部に手を入れて、取付部８０を開閉機５０から取り外してから遮断器６０及び取付部８０を収納部１０の外部に取り出した後に上記配線を遮断器６０に接続することにより、当該結線作業を行ってもよい。
【００８１】
また、開閉機５０の第１手動操作部５５の操作作業を行う場合には、ユーザが点検孔１６ａを介して収納部１０の内部に手を入れて、第１手動操作部５５を回動させることにより、当該操作作業を行うことができる。特に、上述したように、取付部８０及び遮断器６０が、第１手動操作部５５の操作が阻害されないように構成されているので、第１手動操作部５５が取付部８０及び遮断器６０と接触することを回避できることから、この操作作業をスムーズに行うことができる。
【００８２】
また、開閉機５０の第２手動操作部５６の操作作業を行う場合には、ユーザが点検孔１６ａを介して収納部１０の内部に手を入れて、第２手動操作部５６を引張ることにより、当該操作作業を行うことができる。特に、上述したように、取付部８０に切欠部８４が設けられているので、取付部８０を取り外すことなく作業を行うことができ、この操作作業を簡易に行うことができる。
【００８３】
（構成−その他の構成）
また、この他にも、実施の形態に係る開閉装置１は、できる限りにおいて任意の構造にて構成可能である。
【００８４】
具体的には、実施の形態では、開閉機５０が、開閉体３０と接触しないように前方側に傾斜して設けられていると説明したが、これに限らない。例えば、収納部１０の内部において開閉機５０が開閉体３０と接触しないスペースを確保できる場合には、図６に示すように、開閉機５０は、前後方向に傾斜させずに設けられてもよい。
【００８５】
また、実施の形態では、開閉機５０の第１手動操作部５５が、入力軸５１を回動操作することが可能な操作ハンドルであると説明したが、これに限らない。例えば、図７に示すように、第１手動操作部５８は、入力軸５１を回動操作することが可能なチェーン式の操作手段であってもよい。この場合において、第１手動操作部５８の取付方法については任意であるが、例えば、入力軸５１にホイール部５７（例えば、公知のチェーンホイル）を接続した後に、ホイール部５７の回動部の外縁に第１手動操作部５８を引掛けることにより、取り付けてもよい。
【００８６】
また、実施の形態では、取付部８０及び遮断器６０の少なくとも一部が開閉機５０よりも上方側に位置するように、取付部８０及び遮断器６０が構成されていると説明したが、これに限らない。例えば、収納部１０の内部において取付部８０及び遮断器６０の設置スペースを開閉機５０よりも上方側以外の場所で確保できる場合には、取付部８０及び遮断器６０の少なくとも一部が当該場所に位置するように構成されてもよい。一例として、収納部１０の内部において取付部８０及び遮断器６０の設置スペースを開閉機５０よりも前方側で確保できる場合には、取付部８０及び遮断器６０の少なくとも一部が開閉機５０よりも前方側に位置するように構成されてもよい。
【００８７】
また、実施の形態では、取付部８０のカバー部８５が遮断器６０の上面を覆うように配置されていると説明したが、これに限らない。例えば、図８に示すように、カバー部８５が遮断器６０の上面に加えて、遮断器６０の前面及び後面を覆うように複数配置されてもよい。これにより、遮断器６０に水がかかることを一層防止することができ、遮断器６０による漏電の発生を回避できる。
【００８８】
（実施の形態の効果）
このように実施の形態によれば、収納部１０に収容され、且つ開閉機５０に対して直接接続された取付部８０であって、遮断器６０を当該取付部８０に取り付けることにより、遮断器６０を開閉機５０の近傍に設置するための取付部８０を備えたので、従来技術（遮断器を収納部のブラケットの上方部分に設置する技術）に比べて、遮断器６０を開閉機５０の近傍に設置することができ、点検孔１６ａを介して遮断器６０の操作作業や結線作業等を効率的に行うことができ、開閉装置１の使用におけるユーザの利便性を向上させることが可能になる。また、収納部１０に収容される部品のうち開閉機５０以外の他の部品に取付部８０を取り付ける場合に比べて、開閉機５０の近傍に設置しながら取付部８０のコンパクト化を図りやすくなることから、取付部８０の設置性を向上できる。
【００８９】
また、取付部８０及び遮断器６０を開閉機本体５４の取付端部５４ａの近傍に配置したので、取付部８０及び遮断器６０を開閉機本体５４の取付端部５４ａの近傍以外の位置に配置した場合に比べて、取付部８０及び遮断器６０の設置スペースを比較的確保しやすいことから、取付部８０及び遮断器６０の設置性を向上できる。また、例えば、第１手動操作部５５又は遮断器６０のいずれか一方の操作作業を行った後に第１手動操作部５５又は遮断器６０のいずれか他方の操作作業を行うことをスムーズに行うことができ、開閉装置１の使用におけるユーザの利便性を一層向上させることが可能になる。
【００９０】
また、取付部８０及び遮断器６０を第１手動操作部５５の操作が阻害されないように構成したので、取付部８０又は遮断器６０によって第１手動操作部５５の操作が阻害されることを回避でき、第１手動操作部５５の操作性を維持できる。
【００９１】
また、取付部８０及び遮断器６０の少なくとも一部が開閉機５０よりも収納部１０の出し入れ側部側とは反対側に位置するように、取付部８０及び遮断器６０を構成したので、遮断器６０が開閉機５０よりも収納部１０の出し入れ側部に位置する場合に比べて、取付部８０又は遮断器６０によって第１手動操作部５５の操作が阻害されることを回避しながら、取付部８０及び遮断器６０の設置スペースを確保でき、第１手動操作部５５の操作性を維持しながら、取付部８０及び遮断器６０の設置性を向上できる。
【００９２】
また、取付部８０又は遮断器６０の少なくとも一部が開閉機本体５４の取付端部５４ａよりも第１手動操作部５５側に突出しないように、取付部８０及び遮断器６０を構成したので、取付部８０及び遮断器６０が開閉機本体５４の取付端部５４ａよりも第１手動操作部５５側に突出させる場合に比べて、取付部８０又は遮断器６０によって第１手動操作部５５の操作が阻害されることを回避でき、第１手動操作部５５の操作性を一層維持できる。
【００９３】
また、第１手動操作部５５が、開閉機５０を構成する回転軸を回動操作することが可能な操作ハンドルであるので、取付部８０又は遮断器６０によって操作ハンドルの回動操作が阻害されることを回避でき、操作ハンドルの操作性を維持できる。
【００９４】
また、取付部８０に切欠部８４を設けたので、切欠部８４を介して第２手動操作部５６を挿通させることで第２手動操作部５６を取付部８０よりも外側に露出させることができる。よって、取付部８０を取り外すことなく第２手動操作部５６の操作を行うことができ、第２手動操作部５６の操作性を維持できる。
【００９５】
また、取付部８０を開閉機５０に対して着脱自在に接続したので、取付部８０を開閉機５０に対して容易に着脱できる。よって、例えば取付部８０を開閉機５０から取り外した後に遮断器６０の操作作業又は結線作業等を行うことができ、これら操作作業又は結線作業等を正確に行うことができる。
【００９６】
また、取付部８０が、収容空間８６と、収容空間８６に隣接した作業空間とを備えたので、取付部８０に遮断器６０を収容した状態で遮断器６０の結線作業を行うことができ、当該結線作業を効率的に行うことができる。
【００９７】
また、取付部８０が、遮断器６０の少なくとも一部を覆うように設けられたカバー部８５を備えたので、遮断器６０に水がかかることを防止することができ、遮断器６０による漏電の発生を回避できる。
【００９８】
〔ＩＩＩ〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００９９】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【０１００】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【０１０１】
（収納部について）
上記実施の形態では、収納部１０が、駆動側軸受板１１、駆動側取付片１２、従動側軸受板１３、従動側取付片、上側ケース板１４、前側ケース板１５、及び下側ケース板１６を備えていると説明したが、これに限らない。例えば、収納部１０が、建物の天井部よりも上方に設置する場合には、駆動側軸受板１１、駆動側取付片１２、従動側軸受板１３、及び従動側取付片のみを備えてもよい（いわゆる、天井納まり式の構造で構成されてもよい）。この場合には、天井部に点検孔１６ａが形成される。
【０１０２】
また、上記実施の形態では、下側ケース板１６に点検孔１６ａが形成されていると説明したが、これに限らず、例えば、駆動側軸受板１１、上側ケース板１４、又は前側ケース板１５に形成されてもよい。
【０１０３】
（制御ユニットについて）
上記実施の形態では、制御ユニット７０が開閉機５０よりも下方に配置されていると説明したが、これに限らない。例えば、開閉機５０よりも上方に配置されてもよく、又は開閉機５０よりも左方に配置されもよい。
【０１０４】
（遮断器の設置構造について）
上記実施の形態では、取付部８０及び遮断器６０が、開閉機本体５４の取付端部５４ａの近傍に配置されていると説明したが、これに限らない。例えば、ユーザが点検孔１６ａを介して遮断器６０が操作可能な位置であれば、開閉機本体５４の前端部、上端部、又は後端部の近傍に配置されてもよい。
【０１０５】
また、上記実施の形態では、取付部８０及び遮断器６０が、第１手動操作部５５の操作が阻害されないように構成されていると説明したが、これに限らない。例えば、取付部８０が開閉機５０に対して着脱自在に接続されている場合には、第１手動操作部５５の操作が阻害されなるように構成されてもよい。
【０１０６】
また、上記実施の形態では、取付部８０又は遮断器６０の少なくとも一部が開閉機本体５４の取付端部５４ａよりも第１手動操作部５５側に突出しないように、取付部８０及び遮断器６０が構成されていると説明したが、これに限らない。例えば、取付部８０が開閉機５０に対して着脱自在に接続されている場合、又は取付部８０及び遮断器６０が第１手動操作部５５の操作が阻害されない位置に配置されている場合には、取付部８０及び遮断器６０が開閉機本体５４の取付端部５４ａよりも第１手動操作部５５側に突出するように構成されてもよい。
【０１０７】
また、上記実施の形態では、取付部８０は、第２取付側接続部８３を備えていると説明したが、これに限らず、例えば、第２取付側接続部８３を省略してもよい。この場合には、取付部本体８１の下端部と第１取付側接続部８２の上端部が接続されるように、取付部８０が構成されてもよい（すなわち、平坦状の取付部８０が構成されてもよい）。この場合において、例えば、取付部８０及び遮断器６０によって第１手動操作部５５の操作が阻害されないように、取付部８０の取付部本体８１及び遮断器６０が開閉機５０よりも上方側（具体的には、図４の回動操作の軌跡Ｌよりもさらに上側）に位置するように、取付部８０及び遮断器６０が構成されてもよい。一例として、取付部本体８１の上下方向の長さが図４に示す取付部本体８１の上下方向の長さよりも長く設定されると共に、遮断器６０が取付部本体８１の上側部分に取り付けられてもよい。あるいは、取付部８０全体及び遮断器６０全体が開閉機本体５４の取付端部５４ａよりも第１手動操作部５５側に突出しないように、取付部８０及び遮断器６０が配置されてもよい。これにより、例えば、取付部本体８１及び遮断器６０が開閉機５０よりも上方側に位置するように、取付部８０及び遮断器６０を配置させずに、開閉機５０と同じ高さに配置することが可能となる。
【０１０８】
また、上記実施の形態では、取付部８０に切欠部８４が設けられていると説明したが、これに限らない。例えば、取付部８０が開閉機５０に対して着脱自在に接続されている場合には、切欠部８４を省略してもよい。
【０１０９】
また、上記実施の形態では、取付部８０が、開閉機５０に対して着脱自在に接続されていると説明したが、これに限らない。例えば、取付部８０及び遮断器６０が第１手動操作部５５の操作が阻害されない位置に配置されている場合には、開閉機５０に対して着脱できないように接続されてもよく、一例として、開閉機５０に対して溶接等によって接続されてもよい。
【０１１０】
また、上記実施の形態では、取付部８０に第１作業空間８７及び第２作業空間８８が設けられていると説明したが、これに限らない。例えば、取付部８０が開閉機５０に対して着脱自在に接続されている場合には、第１作業空間８７又は第２作業空間８８を省略してもよい。
【０１１１】
また、上記実施の形態では、取付部８０にカバー部８５が設けられていると説明したが、これに限らない。例えば、遮断器６０に水がかかるおそれがない場合には、カバー部８５を省略してもよい。
【０１１２】
また、上記実施の形態では、遮断器６０が縦置きとなるように取付部８０に取り付けられていると説明したが、これに限らず、例えば、横置きとなるように取付部８０に取り付けられてもよい。
【０１１３】
（取付部について）
上記実施の形態では、取付部本体８１の長手方向が開閉機本体５４の高さ方向に略沿うように、取付部８０が設けられていると説明したが、これに限らない。例えば、取付部８０が開閉体３０と接触しなければ、取付部本体８１の長手方向が開閉機本体５４の高さ方向に沿わないように、取付部８０が設けられてもよい。
【０１１４】
（付記）
付記１の開閉装置は、建物の開口部の開閉を行う開閉体を収納するための収納手段と、前記収納手段に収納された開閉機であって、前記開閉体の巻き取り又は巻き出しを行う開閉機と、前記開閉機によって前記開閉体の開閉制御を行う制御手段と、を備えた開閉装置であって、前記収納手段に形成された点検孔であって、前記開閉機の点検を行うための点検孔と、前記収納手段に収容された遮断手段であって、前記制御手段に対する電力供給を遮断するための遮断手段と、前記収納手段に収容され、且つ前記開閉機に対して直接接続された取付手段であって、前記遮断手段を当該取付手段に取り付けることにより、前記遮断手段を前記開閉機の近傍に設置するための取付手段と、を備えた。
【０１１５】
付記２の開閉装置は、付記１に記載の開閉装置において、前記取付手段及び前記遮断手段を、前記開閉機を構成する開閉機本体の端部のうち前記開閉機の開放操作又は閉鎖操作を手動で行うための第１手動操作手段が取り付けられる側の取付端部の近傍に配置した。
【０１１６】
付記３の開閉装置は、付記２に記載の開閉装置において、前記取付手段及び前記遮断手段を、前記第１手動操作手段の操作が阻害されないように構成した。
【０１１７】
付記４の開閉装置は、付記３に記載の開閉装置において、前記取付手段及び前記遮断手段の少なくとも一部が前記開閉機よりも前記収納手段における前記開閉体の出し入れ側の側部である出し入れ側部側とは反対側に位置するように、前記取付手段及び前記遮断手段を構成した。
【０１１８】
付記５の開閉装置は、付記３又は４に記載の開閉装置において、前記取付手段又は前記遮断手段の少なくとも一部が前記開閉機本体の取付端部よりも前記第１手動操作手段側に突出しないように、前記取付手段及び前記遮断手段を構成した。
【０１１９】
付記６の開閉装置は、付記２から５のいずれか一項に記載の開閉装置において、前記第１手動操作手段は、前記開閉機を構成する回転軸を回動操作することが可能な操作ハンドルである。
【０１２０】
付記７の開閉装置は、付記２から６のいずれか一項に記載の開閉装置において、前記取付手段に、前記開閉機本体の取付端部に取り付けられる第２手動操作手段であって、前記開閉機のブレーキ部の解放操作を手動で行うための第２手動操作手段を挿通させるための切欠部を設けた。
【０１２１】
付記８の開閉装置は、付記１から７のいずれか一項に記載の開閉装置において、前記取付手段を、前記開閉機に対して着脱自在に接続した。
【０１２２】
付記９の開閉装置は、付記１から８のいずれか一項に記載の開閉装置において、前記取付手段は、前記遮断手段を収容するための収容空間と、前記収容空間に隣接した作業空間であって、前記遮断手段の結線作業を行うための作業空間と、を備えた。
【０１２３】
付記１０の開閉装置は、付記１から９のいずれか一項に記載の開閉装置において、前記取付手段は、前記遮断手段の少なくとも一部を覆うように設けられたカバー手段であって、前記遮断手段に水がかかることを防止するためのカバー手段を備えた。
【０１２４】
（付記の効果）
付記１に記載の開閉装置によれば、収納手段に収容され、且つ開閉機に対して直接接続された取付手段であって、遮断手段を当該取付手段に取り付けることにより、遮断手段を開閉機の近傍に設置するための取付手段を備えたので、従来技術（遮断器を収納部のブラケットの上方部分に設置する技術）に比べて、遮断手段を開閉機の近傍に設置することができ、点検孔を介して遮断手段の操作作業や結線作業等を効率的に行うことができ、開閉装置の使用におけるユーザの利便性を向上させることが可能になる。また、収納手段に収容される部品のうち開閉機以外の他の部品に取付手段を取り付ける場合に比べて、開閉機の近傍に設置しながら取付手段のコンパクト化を図りやすくなることから、取付手段の設置性を向上できる。
【０１２５】
付記２に記載の開閉装置によれば、取付手段及び遮断手段を開閉機本体の取付端部の近傍に配置したので、取付手段及び遮断手段を開閉機本体の取付端部の近傍以外の位置に配置した場合に比べて、取付手段及び遮断手段の設置スペースを比較的確保しやすいことから、取付手段及び遮断手段の設置性を向上できる。また、例えば、第１手動操作手段又は遮断手段のいずれか一方の操作作業を行った後に第１手動操作手段又は遮断手段のいずれか他方の操作作業を行うことをスムーズに行うことができ、開閉装置の使用におけるユーザの利便性を一層向上させることが可能になる。
【０１２６】
付記３に記載の開閉装置によれば、取付手段及び遮断手段を第１手動操作手段の操作が阻害されないように構成したので、取付手段又は遮断手段によって第１手動操作手段の操作が阻害されることを回避でき、第１手動操作手段の操作性を維持できる。
【０１２７】
付記４に記載の開閉装置によれば、取付手段及び遮断手段の少なくとも一部が開閉機よりも収納手段の出し入れ側部側とは反対側に位置するように、取付手段及び遮断手段を構成したので、遮断手段が開閉機よりも収納手段の出し入れ側部に位置する場合に比べて、取付手段又は遮断手段によって第１手動操作手段の操作が阻害されることを回避しながら、取付手段及び遮断手段の設置スペースを確保でき、第１手動操作手段の操作性を維持しながら、取付手段及び遮断手段の設置性を向上できる。
【０１２８】
付記５に記載の開閉装置によれば、取付手段又は遮断手段の少なくとも一部が開閉機本体の取付端部よりも第１手動操作手段側に突出しないように、取付手段及び遮断手段を構成したので、取付手段及び遮断手段が開閉機本体の取付端部よりも第１手動操作手段側に突出させる場合に比べて、取付手段又は遮断手段によって第１手動操作手段の操作が阻害されることを回避でき、第１手動操作手段の操作性を一層維持できる。
【０１２９】
付記６に記載の開閉装置によれば、開閉機を構成する回転軸を回動操作することが可能な操作ハンドルであるので、取付手段又は遮断手段によって操作ハンドルの回動操作が阻害されることを回避でき、操作ハンドルの操作性を維持できる。
【０１３０】
付記７に記載の開閉装置によれば、取付手段に切欠部を設けたので、切欠部を介して第２手動操作手段を挿通させることで第２手動操作手段を取付手段よりも外側に露出させることができる。よって、取付手段を取り外すことなく第２手動操作手段の操作を行うことができ、第２手動操作手段の操作性を維持できる。
【０１３１】
付記８に記載の開閉装置によれば、取付手段を開閉機に対して着脱自在に接続したので、取付手段を開閉機に対して容易に着脱できる。よって、例えば取付手段を開閉機から取り外した後に遮断手段の操作作業又は結線作業等を行うことができ、これら操作作業又は結線作業等を正確に行うことができる。
【０１３２】
付記９に記載の開閉装置によれば、取付手段が、収容空間と、収容空間に隣接した作業空間とを備えたので、取付手段に遮断手段を収容した状態で遮断手段の結線作業を行うことができ、当該結線作業を効率的に行うことができる。
【０１３３】
付記１０に記載の開閉装置によれば、取付手段が、遮断手段の少なくとも一部を覆うように設けられたカバー手段を備えたので、遮断手段に水がかかることを防止することができ、遮断手段による漏電の発生を回避できる。
【符号の説明】
【０１３４】
１  開閉装置
２  開口部
１０  収納部
１０ａ  まぐさ開口
１１  駆動側軸受板
１２  駆動側取付片
１３  従動側軸受板
１４  上側ケース板
１５  前側ケース板
１６  下側ケース板
１６ａ  点検孔
２０  ガイドレール
３０  開閉体
３１  スラット
３２  嵌合部
３３  座板
４０  巻取軸
４０ａ  従動側シャフト部
４１  駆動側軸受部
４２  巻取軸側スプロケット
４３  伝達部材
５０  開閉機
５１  入力軸
５２  出力軸
５３  開閉機側スプロケット
５４  開閉機本体
５４ａ  取付端部
５５  第１手動操作部
５５ａ  把持部
５５ｂ  操作側接続部
５６  第２手動操作部
５７  ホイール部
５８  第１手動操作部
６０  遮断器
７０  制御ユニット
８０  取付部
８１  取付部本体
８１ａ  ビス孔
８２  第１取付側接続部
８２ａ  挿通孔
８３  第２取付側接続部
８４  切欠部
８５  カバー部
８６  収容空間
８７  第１作業空間
８８  第２作業空間
Ｆ１  第１固定具
Ｆ２  第２固定具
Ｌ  軌跡
Ｍ  最大巻き径
【図１】
2020002605.tif 000003
【図２】
2020002605.tif 000004
【図３】
2020002605.tif 000005
【図４】
2020002605.tif 000006
【図５】
2020002605.tif 000007
【図６】
2020002605.tif 000008
【図７】
2020002605.tif 000009
【図８】
2020002605.tif 000010